(57)【特許請求の範囲】
【請求項１】
窓枠が、外壁の開口部に、屋外面を外壁面から屋内方向に後退させ、外壁面材との間に隙間を設けて、取り付けられ、
外壁面材と窓枠との間の上方の隙間の縁部には、水切り垂下部を備えて外壁面より突出した上部連結材が取り付けられ、
下方の隙間の縁部には、水切り垂下部を備えて外壁面より突出した下部連結材が取り付けられ、
両側の隙間の縁部には、断面Ｌ字形の長尺体であり、一方の片を外壁面と略面一にさせるとともに、他方の片を屋内方向に位置させた側部連結材が取り付けられて、
外壁面材の端面と隙間とが塞がれていることを特徴とする窓の納まり構造。
【請求項２】
前記側部連結材が外壁面と略同じ表面模様を有することを特徴とする請求項１記載の窓の納まり構造。
【請求項３】
前記側部連結材は、スペーサーを介して胴縁に取り付けられて、前記側部連結材と前記胴縁との間に通気空間を形成するとともに、
前記胴縁の前記通気空間に向いた面には、透湿防水シートが設けられることを特徴とする請求項１又は請求項２に記載の窓の納まり構造。
【発明の詳細な説明】
【０００１】
【発明の属する技術分野】
本発明は窓の納まり構造に関する。
【０００２】
【従来の技術】
従来、窓の納まり構造としては、種々知られている。
例えば、実公平２−４９３４９号公報に記載されているように、窓枠が外壁の開口部に、屋外面を外壁面と略面一にして、取り付けられた窓の納まり構造が知られている。
【０００３】
又、特公平７−９１９２２号公報に記載されているように、窓枠が外壁の開口部に、屋外面を、ＡＬＣ外壁パネルの壁厚に略等しい幅だけ外壁面より屋内方向に後退させて、取り付けられた窓の納まり構造が知られている。
又、特開平８−１９３４６６号公報に記載されているように、窓枠が外壁の開口部に、屋外面を、外壁面材の板厚分だけ外壁面より屋内方向に後退させて、取り付けられた窓の納まり構造が知られている。
【０００４】
【発明が解決しようとする課題】
しかし、実公平２−４９３４９号公報に記載された窓の納まり構造は、屋外面が外壁面と略面一になっていて、外壁全体がのっぺりとして締まった感じがしなくなり、高級な邸宅感が得られない。特に、プレハブ工法で量産された建物では、乾式工法であるために、アルミサッシの窓枠を取り付けると、仕上がりに重量感がなく軽い感じとなり、高級な邸宅感が得難い。
【０００５】
一方、特公平７−９１９２２号公報や、特開平８−１９３４６６号公報に記載された窓の納まり構造では、屋外面を外壁面材の厚みに略等しい距離だけ屋内方向に後退させて取り付けられているため、この窓部分が引っ込んで、外壁面が凹凸状になり、高級な邸宅感が得られる。
この際、外壁面材の厚みを大きくすると、窓枠を大きく後退させることができ、効果的である。
【０００６】
しかし、このように、外壁面材の厚みを大きくすると、外壁面材の重量が増すので、建物構造体の機械的強度を大きくする必要があり、建物構造体にかかる費用が高くなるし、この外壁面材を建物躯体に取り付ける際に、クレーン等の重機を使用する必要があり，施工費用が高くなる。
又、板厚の厚い外壁面材は、ＡＬＣ、押出成形セメント板、プレキャストコンクリート板等に限られているが、これ等は特定のレリーフや色彩のものしかなく選択幅が少ない。
【０００７】
一方、硬質木片セメント板等の窯業系サイデイングや鋼板等の金属サイデイングやタイルを貼り付けた外壁板等の板厚の薄い外壁面材は、種々なレリーフや色彩のものがあり、外壁に所望のレリーフや色柄を設けた美麗な建物となすことが可能である。
そこで、この発明の目的は、レリーフや色彩の多様な板厚の薄い外壁面材を使用しても、高級な邸宅感の得られる窓の納まり構造を提供することである。
【０００８】
【課題を解決するための手段】
本発明は上記目的を達成するためになしたものであって、窓枠が、外壁の開口部に、屋外面を外壁面から屋内方向に後退させ、外壁面材との間に隙間を設けて、取り付けられ、外壁面材と窓枠との間の上方の隙間の縁部には、水切り垂下部を備えて外壁面より突出した上部連結材が取り付けられ、下方の隙間の縁部には、水切り垂下部を備えて外壁面より突出した下部連結材が取り付けられ、両側の隙間の縁部には、断面Ｌ字形の長尺体であり、一方の片を外壁面と略面一にさせるとともに、他方の片を屋内方向に位置させた側部連
結材が取り付けられて、外壁面材の端面と隙間とが塞がれているものである。
【００１３】
この発明では、一方の片を外壁面と略面一にしているが、この面の表面模様を外壁面材と略同じにすると、この一方の片と外壁面材とが連続した外壁面に見えるので好ましい。
又、他方の片を屋内方向に位置させているが、この他方の片の表面模様を外壁面材の表面模様と略同じにすると、外壁面材が窓枠まで連続して取り付けられたように見えて美麗であり好ましい。又、ＡＬＣやプレキャストコンクリート板の端面と略同じ表面模様にすると、外壁面材に外壁面から窓枠までの板厚の厚いＡＬＣやプレキャストコンクリート板が使用されているように見えるので、かかる表面模様も好ましい。特に、請求項３記載の発明のように一方の片と他方の片を含めた側部連結材の全体の表面を外壁面と略同じ表面模様とすることが好ましい。
【００１４】
即ち、前記側部連結材が外壁面と略同じ表面模様を有する断面Ｌ字形の長尺体であり、この断面Ｌ字形の長尺体が、一方の片を外壁面と略面一にし、他方の片を屋内方向に位置させて取り付けられているものである。
【００１５】
（作用）
請求項１記載の発明では、窓枠が外壁の開口部に、屋外面を外壁面から屋内方向に後退させ、外壁面材との間に隙間を設けて、取り付けられているので、窓枠が外壁面から屋内方向に後退した位置に取り付けられて、この窓の部分が引っ込んでいて、外壁面が凹凸状になるが、窓枠と外壁面材との間に隙間が形成される。
【００１６】
一般に、通常、外壁面材の板厚が薄い場合には、窓枠を外壁面から屋内方向に後退させると、上記のように窓枠と外壁面材との間に隙間が形成され、外側から見ると外壁面材と隙間が見えて見苦しくなるが、この請求項１記載の発明では、外壁面材と窓枠との間の上方の隙間の縁部には上部連結材が、下方の隙間の縁部には下部連結材が、両側の隙間の縁部には側部連結材が、それぞれ取り付けられて、外壁面材の端面と隙間とが塞がれているので、外壁面材の端面と隙間とが見えなくなり、外壁に壁厚の厚い外壁面材を取り付け、この外壁の開口に屋外面を板厚の厚みだけ屋内方向に後退させて窓枠を取り付けた建物と同じように、外壁面が凹凸状になり、高級な邸宅感が得られる。
【００１７】
しかも、この請求項１記載の発明では、窓枠を外壁面材の厚みに関係なく外壁面から屋内方向に後退させることができるので、建物に適した距離だけ窓枠を屋内方向に後退させることができ、極めて美麗な外壁とすることができる。
又、請求項１記載の発明では、板厚の薄い外壁面材を使用することができるので、板厚の厚い重い外壁面材を使用するより、建物構造体の機械的強度を小さくし、建物構造体を安価にすることができるし、外壁面材を取り付ける施工も重機を使用する必要がなく安価になる。
【００１８】
又、窯業系サイデング材や金属サイデイングやタイルを貼った外壁面材等のレリーフや色彩の種類の多い板厚の薄い外壁面材を使用することができるので、建物に適した好みのレリーフや色彩の外壁面材を使用することができる。
【００１９】
また、上部連結材が窓上水切りであり、この窓上水切りが外壁面より突出した状態に取り付けられているので、この窓上水切りが外壁面より突出し、屋内に雨水が入り難いし、立体感のある極めて高級な邸宅感が得られる。
【００２０】
さらに、下部連結材が窓下水切りであり、この窓下水切りが外壁面より突出した状態に取り付けられているので、この窓下水切りの上に降った雨水が外壁面より離れて落下する。従って、窓枠と窓下の外壁面材との間の防水性が良くなる。又、この窓下水切りが外壁面より突出し、立体感のある極めて高級な邸宅感が得られる。
【００２１】
そして、側部連結材が断面Ｌ字形の長尺体であり、この断面Ｌ字形の長尺体が、一方の片を外壁面と略面一にし、他方の片を屋内方向に突出させて取り付けられているので、外壁面から窓枠までの板厚の厚い外壁面材が取り付けられているように見え、極めて高級な邸宅感が得られる。
【００２２】
また、側部連結材が外壁面と略同じ表面模様を有する断面Ｌ字形の長尺体であり、この断面Ｌ字形の長尺体が、一方の片を外壁面と略面一にし、他方の片を屋内方向に位置させて取り付けられているので、外壁面から窓枠まで略同じ外壁面材が取り付けられているように見え、極めて高級な邸宅感が得られる。
【００２３】
【発明の実施の形態】
次に、本発明の実施の形態を実施例で説明する。
図１〜図３は本発明の一実施例を示すもので、図１は建物の窓近傍の斜視図、図２は図１のＡ−Ａ線における断面図、図３は図１のＢ−Ｂ線における断面図である。
【００２４】
図１〜図３において、１は建物であり、この建物１の外壁には、外壁面材２が取り付けられている。
外壁面材２は厚みが２０ｍｍの硬質木片セメント板であり、この外壁面材２の表面には、タイル２５が貼られ、屋内側面には、留め金具２３が取り付けられている。
【００２５】
この外壁面材２の取付構造は、図２に一部が示されているように、建物１には、建物構造体である間柱４が立設されていて、この間柱４に胴縁（通気胴縁、外壁固定胴縁）４１が溶接で取り付けられ、この胴縁４１に湿気は通すが水を通さない透湿防水シート４２が張られ、この外側にスペーサー６を当接し、このスペーサーの上からビス４４を胴縁４１に螺入してスペーサー６が取り付けられ、このビス４４に留め金具２３を引っ掛けて、外壁面材２が間柱４に取り付けられている。
【００２６】
従って、この透湿防水シート４２と外壁面材２との間には、通気通路Ｒが形成されていて、この通気通路Ｒを乾燥した空気が通過して、外壁面材２の屋内面に結露が発生しないようになっている。
この外壁には開口部２１が設けられ、この開口部２１には窓３が設けられている。
【００２７】
この窓３の納まり構造を詳細に説明する。
開口部２１の両側には、図２に示すように、断面Ｌ字形の鋼製長尺体の間柱（開口間柱）４が立設されていて、この間柱４に胴縁４１が溶接で取り付けられている。
又、外壁面材２の屋外側に胴縁４１の外側面に沿って張られた透湿防水シート４２は、開口部２１の両側では、図２に示すように、胴縁４１の屋外側から開口側に沿って張られ、胴縁４１に、胴縁４１と間柱４に貼られた防水テープ４９で固定されている。又、開口部２１の上側と下側では、図３に示すように、胴縁４１に沿って貼られ、防水テープ４９で固定されている。
【００２８】
又、開口部２１の上下には、図３に示すように、断面コ字形の鋼製長尺体の上側マグサ４３と下側マグサ４４が、両側の間柱４に差し渡されて取り付けられている。
この開口部２１の周囲の胴縁４１、上側マグサ４３、下側マグサ４４が開口枠を形成する。
【００２９】
窓３は、開口部２１に設けられたものであって、窓枠であるアルミサッシ３１と、上部連結材である窓上水切り３２と、下部連結材である窓下水切り３３と、側部連結材３４とからなる。
アルミサッシ３１の両側は、図２に示すように、屋内側を、間柱４にビス４７とビス４８で取り付けて、固定されている。
【００３０】
アルミサッシ３１の上下は、図３に示すように、下側を、下側マグサ４４の上面の上に載せ、下側マグサ４４の横面にビス４６で取り付け、上側を、上側マグサ４２の下面との間にスペーサー３５４を挟み、後述の窓上水切り３２と一緒に、上側マグサ４３の横面にビス３９で取り付けて、固定されている。
【００３１】
６は壁の内側に設けられている石膏ボードである内壁面材である。
上記のように開口部２１にアルミサッシ３１を取り付けると、アルミサッシ３１と外壁面材２との間や、アルミサッシ３１との内壁面材６との間に隙間が形成される。
開口部２１のアルミサッシ３１と内壁面材６との間の隙間は、額縁５と連結材６５で塞がれている。
【００３２】
即ち、額縁５は、木製板状体を四角枠形に組み立てたものであって、この額縁２１が開口部２１の屋内側から嵌め込まれ、図２に示すように、額縁５の両側がアルミサッシ３１にビス５１で取り付けられ、図３に示すように、額縁５の上側がアルミサッシ３１にビス５２で取り付けられ、額縁５の下側がアルミサッシ３１にビス５３で取り付けられて、額縁５がアルミサッシ３１に固定されている。
そして、額縁５と内壁面材６とは連結材６５で連結されている。
【００３３】
開口部２１のアルミサッシ３１と外壁面材２との間の隙間は、窓上水切り３２と窓下水切り３３と側部連結材３４で塞がれている。
即ち、窓上水切り３２は、アルミニウム製の断面が図３に示す形状の長尺体で、表面が褐色の塗料で塗装されていて、この窓上水切り３２が、屋外側から上部の隙間に挿入され、上側胴縁４１にビス２９で固定されている。
【００３４】
尚、この窓上水切り３２は、図３に示すように、外壁面より突出した状態に取り付けられている。又、この窓上水切り３２と外壁面材２との間にコーキング材７１が注入されてこの部分が水密となっているし、窓上水切り３２とアルミサッシ３１との間にコーキング材７２が注入されて、この部分が水密となっている。
【００３５】
窓下水切り３３は、アルミニウム製の断面が図３に示す形状の長尺体で、表面が褐色の塗料で塗装されていて、この窓下水切り３３が、屋外側から下部の隙間に挿入され、アルミサッシ３１と一緒に下側マグサ４４にビス３８で固定されると同時に胴縁４１にビス２９で固定されている。
尚、この窓下水切り３３は外壁面より突出した状態に取り付けられている。又、この窓下水切り３３と外壁面材２との間にコーキング材７３が注入されて、この部分が水密になっているし、窓下水切り３３とアルミサッシ３１との間にコーキング材７４が注入されて、この部分が水密となっている。
【００３６】
側部連結材３４は、図２に示すように、断面Ｌ字形の硬質木片セメント板製の長尺体で、表面に外壁面材２と略同じ形状で略同じ色のタイル２５が貼り付けられている。
そして、この側部連結材３４が、屋外側から両側の隙間に嵌め込まれ、一方の片３５の屋外面と外壁面とを略面一にし、他方の片３６を、屋内方向に突出させ、一方の片３５に
取り付けられた留め金具３５５を、胴縁４１にスペーサー６を取り付けたビス６７に引っ掛け、この他方の片３６に取り付けられた留め金具３６５を、胴縁４１に窓横スペーサー６５取り付けたビス６８に引っ掛けて、胴縁４１に固定されている。
【００３７】
尚、この側部連結材３４と外壁面材２との間にコーキング材７５が注入されて、この部分が水密になっているし、側部連結材３４とアルミサッシ３１との間にコーキング材７６が注入されて、この部分が水密になっているし、側部連結材３４と窓上水切り３２との間にコーキング材７７が注入されて、この部分が水密になっているし、側部連結材３４と窓下水切り３３との間にコーキング材７８が注入されて、この部分が水密となっている。
【００３８】
次に、この窓３の納まり構造になす施工方法を説明する。
建物１の骨格を取り付ける際に、窓３を設ける開口部２１の両側に間柱４を立設し、この開口部２１の上下に上側マグサ４３と下側マグサ４４を間柱４に差し渡し、この上側マグサ４３と下側マグサ４４の両端を、両側にある間柱４に接続したり、間柱４に胴縁４１を取り付けて、開口枠を形成させておく。
次に、アルミサッシ３１を屋外側から開口部２１の中に挿入し、下側マグサ４４の上に載せて、アルミサッシ３１の上側と上側マグサ４３の下面との間にスペーサー３５４を挿入しながら、押し込んで、アルミサッシ３１の両側を間柱４にビス４７、４８で取り付け、アルミサッシ３１の上側を、上側マグサ４３にビス３９で取付け、アルミサッシ３１の下側を、下側マグサ４４の横面にビス４６で取り付けて、アルミサッシ３１を固定する。
【００３９】
すると、アルミサッシ３１が外壁面から屋内方向に後退した位置に取り付けられるが、外壁面材２の板厚が２０ｍｍと薄いので、アルミサッシ３１と外壁面材２との間と、アルミサッシ３１と内壁面材６との間とに隙間が形成される。
次に、アルミサッシ３１と外壁面材２との間の上方の隙間に、屋外側から窓上水切り３２を挿入し、この窓上水切り３２を、胴縁４１にビス２９で取り付ける。
【００４０】
尚、この窓上水切り３２と外壁面材２との間に、コーキング材７１を注入して、この部分を水密にし、窓上水切り３２とアルミサッシ３１との間には、コーキング材７２を注入して、この部分を水密にする。
このようにして窓上水切り３２を取り付けると、窓上水切り３２が外壁面より突出した状態に固定される。
【００４１】
又、アルミサッシ３１と外壁面材２との間の下方の隙間には、屋外側から窓下水切り３３を挿入し、窓下水切り３３をビス３８で下側マグサ４４に取り付けると同時に、胴縁４１にビス２９で取り付ける。
このように、窓下水切り３３を取り付けると、窓下水切り３３が外壁面より突出した状態に固定される。
尚、この窓下水切り３３と外壁面材２との間にコーキング材７３を注入して、この部分を水密にし、窓下水切り３３とアルミサッシ３１との間にコーキング材７４を注入して、この部分を水密にする。
【００４２】
又、アルミサッシ３１と外壁面材２との間の左右の隙間には、側部連結材３４を、一方の片３５の屋外面と外壁面とを略面一にし、他方の片３６を屋内方向に位置させて、屋外側から嵌め込み、この一方の片３５に取り付けられた留め金具３５５を、胴縁４１にスペーサー６を取り付けたビス６７に引っ掛け、他方の片３６に取り付けられた止め金具３６５を、窓横スペーサー３７に螺入されたビス６８に引っ掛けて、側部連結材３４を取り付ける。
【００４３】
尚、この側部連結材３４と外壁面材２との間にコーキング材７５を注入し、この部分を水密にし、側部連結材３４とアルミサッシ３１との間にコーキング材７６を注入し、この部分を水密にし、側部連結材３４と窓上水切り３２との間にコーキング材７７を注入し、この部分を水密にし、側部連結材３４と窓下水切り３３との間にコーキング材７８を注入して、この部分を水密する。
【００４４】
このようにすると、アルミサッシ３１と外壁面材２との間の隙間と外壁面材２の端面とが、窓上水切り３２、窓下水切り３３、側部連結材３４とで覆われて塞がれて、外壁面材２の端面と隙間とが見えなくなり、この部分が美麗になる。
又、アルミサッシ３１の屋内側では、アルミサッシ３１と内壁面材６との間に屋内側から額縁５を嵌め込み、アルミサッシ３１の両側の屋内側を額縁５にビス５１で取り付け、アルミサッシ３１の上側の屋内側を額縁５にビス５２で取り付け、アルミサッシ３１の下側の屋内側を額縁５にビス５３で取り付けて、アルミサッシ３１と額縁５とを連結する。
【００４５】
又、内壁面材６と額縁５とを連結材６５で連結して、内壁面材６と額縁５との間の隙間を塞ぐ。
このようにすると、アルミサッシ３１と内壁面材６との間の隙間と、内壁面材６の端面とが、額縁５と連結材６５で覆われて塞がれる。
このようにすると、アルミサッシ３１が外壁面より屋内方向に後退した状態に取付られ、アルミサッシ３１の屋内側や屋外側に形成された隙間が完全に塞がれて、窓３の納まり構造が完成する。
【００４６】
このようにして建てた建物１の窓３の納まり構造では、窓枠であるアルミサッシ３１が外壁面から屋内方向に後退した位置に取り付けられているので、外壁面が凹凸状になる。
【００４７】
そして、このように外壁面材２を外壁面から屋内方向に後退した位置に取り付けると、壁に取り付けられた外壁面材２の板厚の厚みが２０ｍｍと薄いので、外壁面材２とアルミサッシ３１との間に隙間が形成されるが、この実施例では、外壁面材２とアルミサッシ３１との間の上方の隙間には上部連結材である窓上水切り３２が、下方の隙間には下部連結材である窓下水切り３３が、両側の隙間には側部連結材３４がそれぞれ取り付けられて、隙間と外壁面材２の端面が塞がれているので、隙間と外壁面材２の端面が見えない。
【００４８】
このように、アルミサッシ３１が外壁面材２の屋外面から屋内方向に後退して外壁面が凹凸状になるし、アルミサッシ３１と外壁面材２との隙間が見えないので、高級な邸宅感が得られる。
しかも、この窓３の納まり構造では、アルミサッシ３１を外壁面材２の厚みに関係なく外壁面から屋内方向に後退させることができるので、建物１に適した距離だけアルミサッシ３１を屋内方向に後退させることができ、極めて美麗な外壁とすることができる。
【００４９】
又、内壁面材６とアルミサッシ３１との間にも隙間が形成されるが、この隙間は額縁５と連結材６５で覆われて塞がれているので、内壁面材６の端面と隙間が見えなくなり美麗である。
このように、板厚の薄い外壁面材２を使用することができるので、間柱４等の建物構造体の機械的強度を小さくすることができ、建物構造体を安価にすることができるし、外壁面材２を取り付ける施工も安価にすることができる。
【００５０】
又、外壁面材３１に板厚が２０ｍｍというように薄い硬質木片セメント板を使用する。この硬質木片セメント板には、種々なレリーフと色彩のものがあるので、例えば、この実施例のようにタイルを貼り付けることもできるし、その他の表面模様や色彩にすることもできる。
【００５１】
上部連結材が窓上水切り３２であり、この窓上水切り３２が外壁面より突出した状態に取り付けられているので、雨水が屋内に入り難いし、この窓上水切り３２が外壁面より突出し、立体感のある極めて高級な邸宅感が得られる。
又、この窓上水切り３２は外壁面材２より異なる色に着色されているので、この部分が、突出していることと相まって、目立ち、極めて美麗な外壁となる。
【００５２】
下部連結材が窓下水切り３３であり、この窓下水切り３３が外壁面より突出した状態に取り付けられているので、この窓下水切り３３の上に降った雨水が外壁面より離れて落下する。従って、アルミサッシ３１と窓下の外壁面材２との間の防水性が良くなる。又、この窓下水切り３３が外壁面より突出し、立体感のある極めて高級な邸宅感が得られる。
又、この窓下水切り３３は外壁面材２より異なる色に着色されているので、この部分が、突出していることと相まって、目立ち、極めて美麗な外壁となる。
【００５３】
側部連結材３４が外壁面と略同じ表面模様を有するＬ字形の長尺体であり、このＬ字形の長尺体が、一方の片を外壁面と略面一にし、他方の片を屋内方向に位置させて、取り付けられているので、外壁面から窓枠までの板厚の厚い外壁面材が取り付けられているように見え、美麗である。
又、この側部連結材３４が外壁面材２と略同じ模様、同じ色をしているので、アルミサッシ３１近傍まで外壁面材２があるように見えて極めて美麗である。
【００５４】
以上、この発明の実施例を図面を参照しながら詳述したが、具体的な構成は、この実施例に限られるものでなく、この発明の要旨を逸脱しない範囲の設計変更等があってもよい。
例えば、この実施例では、胴縁が鋼製であるが、木製でもよいし、通気通路を設ける必要がない場合には胴縁がなくともよい。又、外壁面材を留め金具で取り付けているが、その他の手段、例えば、外壁面材を屋外から胴縁に直接釘を打ち込んだりビスを螺入して取り付けてもよい。
【００５５】
又、外壁面材としては、硬質木片セメント板を使用したが、その他の窯業系サイディング材でもよいし、金属製サイディング材でもよいし、タイルを貼り付けたものでもよい。
又、この実施例では、マグサ等の開口枠が鋼製であるが、木構造でもよい。又、アルミサッシの開口枠への固定をビスで行っているが、その他の手段、例えば、釘打ち、ワンサイドリベット止め等適宜固定具で固定してもよい。又、この開口枠を屋内方向に後退させる寸法の調節は、胴縁（外壁固定用胴縁や通気胴縁）、止め金具の見込み方向の寸法を変えたり、マグサの開口間柱の断面形状を変えることにより可能である。
【００５６】
又、間柱と胴縁との固定を溶接で行っているが、ボルト・ナットやビスや釘やワンサイドリベット等適宜固定具で行うことができる。
又、この実施例では、透湿防水シートを胴縁や間柱やアルミサッシに防水テープで固定しているが、この防水テープに替えて、両面粘着防水テープをアルミサッシに貼り、この上に透湿防水テープを貼ってもよい。又、片面粘着防水テープをアルミサッシと透湿防水シートの間に貼り渡してもよい。
【００５７】
又、窓上水切りを屋外方向に大きく突出させて窓庇を兼ねるようにしてもよい。
又、窓横スペーサーに鋼板を使用しているが、木製でもよいし、樹脂製でもよい。又、この窓横スペーサーの固定はビスを使用しているが、その他の固定具、例えば、釘でもよいし、ワンサイドリベットでもよい。
又、側部連結部材の他方の片の表面模様を、外壁面材と略同じにしてもよいし、コンクリート表面に似た模様にしてもよいし、鉄筋コンクリート構造を模した表面模様にして、鉄筋コンクリート造りの建物のようにしてもよい。
【００５８】
【発明の効果】
以上詳細に説明したように、請求項１記載の発明は、窓枠が外壁の開口部に、屋外面を外壁面から屋内方向に後退させ、外壁面材との間に隙間を設けて、取り付けられ、外壁面材と窓枠との間の上方の隙間の縁部には上部連結材が、下方の隙間の縁部には下部連結材が、両側の隙間の縁部には側部連結材が、それぞれ取り付けられて、外壁面材の端面と隙間とが塞がれているから、外壁面が凹凸状になるし、窓枠と外壁面材との間の隙間と外壁面材の端面は、上部連結材と、下部連結材と、側部連結材とで、塞がれ、隙間と外壁面材の端面が見えない。
【００５９】
しかも、壁厚の厚い外壁面材が取り付けられた建物と同じように、外壁面が凹凸状になり、外壁面材と窓枠との間や外壁面材の端面が見えなく、極めて高級な邸宅感が得られる。
このようにすると、窓枠を外壁面材の厚みに関係なく外壁面から屋内方向に後退させることができるので、建物に適した距離だけ窓枠を屋内方向に後退させることができ、極めて美麗な外壁とすることができる。
【００６０】
又、板厚の薄い外壁面材を使用することができるので、建物構造体の機械的強度が小さくてよく、建物構造体を安価にすることができるし、外壁面材を取り付ける施工も安価にすることができる。
又、窯業系サイディング材や金属サイディング等の種類の多い壁厚の薄い外壁面材を使用することができるので、種々な好みのレリーフや塗装色柄の外壁面材を使用することができる。
【００６１】
請求項２記載の発明は、上部連結材が窓上水切りであり、この窓上水切りが外壁面より突出した状態に取り付けられているから、この窓上水切りが外壁面より突出し、雨水が屋内に入り難いし、立体感のある極めて高級な邸宅感が得られる。
尚、この窓上水切りの突出長さを大きくすると、この窓上水切りが窓庇となり、屋内に雨水が更に入り難くなるし、夏季の日差しを防ぐことができる。
【００６２】
請求項３記載の発明は、下部連結材が窓下水切りであり、この窓下水切りが外壁面より突出した状態に取り付けられているから、この窓下水切りの上に降った雨水が外壁面より離れて落下する。従って、窓枠と窓下の外壁面材との間を防水性がよくなる。又、この窓下水切りが外壁面より突出し、立体感のある極めて高級な邸宅感が得られる。
【００６３】
請求項４記載の発明は、側部連結材が断面Ｌ字形の長尺体であり、この断面Ｌ字形の長尺体が、一方の片を外壁面と略面一にし、他方の片を屋内方向に突出させて取り付けられているから、外壁面から窓枠までの板厚の厚い外壁面材が取り付けられているように見え、極めて高級な邸宅感が得られる。
【００６４】
請求項５記載の発明は、側部連結材が外壁面と略同じ表面模様を有する断面Ｌ字形の長尺体であり、この断面Ｌ字形の長尺体が、一方の片を外壁面と略面一にし、他方の片を屋内方向に位置させて取り付けられているから、外壁面から窓枠まで略同じ外壁面材が取り付けられているように見え、極めて高級な邸宅感が得られる。
【図面の簡単な説明】
【図１】本発明の一実施例を示すもので、建物の窓近傍の斜視図てある。
【図２】図１のＡ−Ａ線における断面図である。
【図３】図１のＢ−Ｂ線における断面図である。
【符号の説明】
１              建物
２              外壁面材
２１            開口部
３              窓
３１            窓枠（アルミサッシ）
３２            上部連結材（窓上水切り）
３３            下部連結材（窓下水切り）
３４            側部連結材
３５            一方の片
３６            他方の片
【図１】
0003981543.tif 000002
【図２】
0003981543.tif 000003
【図３】
0003981543.tif 000004